(57)【要約】    【課題】  より快適なリクライニングの形態を作り出しさらに使い心地を高めうるベッドを提供する。    【解決手段】  寝具を載置する寝具載置面を有する寝具受け枠と、該寝具受け枠を支持するベッド枠体とを具えたベッドであって、前記寝具受け枠は、就寝者の頭部が向く前側部分に、後端部が前記ベッド枠体に枢支され背中を受ける背支持枠部、及び背支持枠部と一直線となる伸展状態と、該背支持枠部に対して持ち上げられかつ前端を上向きに傾動しうる頭部リクライニング状態とに変化させる傾動部を介して、前記背支持枠部の前端部に取付けられる頭支持枠部を含むとともに、前記ベッド枠体に、先端部が前記頭支持枠部の下面と摺接しかつ回動とともに該頭支持枠部を持ち上げるアーム体と、該アーム体を回動する駆動器とを設けたことを特徴とする。【選択図】  図１
2005152233.tif 000002
【特許請求の範囲】
【請求項１】
寝具を載置する寝具載置面を有する寝具受け枠と、該寝具受け枠を支持するベッド枠体とを具えたベッドであって、
前記寝具受け枠は、就寝者の頭部が向く前側部分に、後端部が前記ベッド枠体に枢支され背中を受ける背支持枠部、及び背支持枠部と一直線となる伸展状態と、該背支持枠部に対して持ち上げられかつ前端を上向きに傾動しうる頭部リクライニング状態とに変化させる傾動部を介して、前記背支持枠部の前端部に取付けられる頭支持枠部を含むとともに、
前記ベッド枠体に、先端部が前記頭支持枠部の下面と摺接しかつ回動とともに該頭支持枠部を持ち上げるアーム体と、該アーム体を回動する駆動器とを設けたことを特徴とするベッド。
【請求項２】
前記傾動部は、前記背支持枠部の前端部に設けられベッド長さ方向を含む垂直面内で傾動可能な案内部と、前記頭支持枠部の後端部に取り付けられ、前記案内部に対して昇降するスライド部とからなることを特徴とする請求項１記載のベッド。
【請求項３】
前記案内部はガイド孔を有しかつ前記スライド部は該ガイド孔で昇降するスライド軸からなるとともに、前記スライド軸は上方への最大スライド時に前記ガイド孔に抜け止め保持されることにより、前記背支持枠部が前記頭支持枠部により持ち上げられることを特徴とする請求項１又は２記載のベッド。
【請求項４】
前記頭支持枠部は、頭部リクライニング状態において、背支持枠部に対して２〜１０度の角度で傾くことを特徴とする請求項１〜３のいずれかに記載のベッド。
【請求項５】
前記ベッド枠体は、倒立Ｖ字状に折曲げ可能な一対のベッド枠半体からなることを特徴とする請求項１〜４のいずれかに記載のベッド。
【発明の詳細な説明】
【技術分野】
【０００１】
本発明は、快適なリクライニング状態を作り出しさらに使い心地を高めうるベッドに関する。
【背景技術】
【０００２】
近年の生活習慣では、ベッドの上で横になったままテレビを見たり或いは読書をしたり、さらには軽い食事をとること等が頻繁に行われつつある。このようなベッドの使用状況に鑑み、例えば図１４に示すように、寝台部の頭部側に起き上がる向きに折り曲げ可能な第１の傾動部ｂ１と、この第１の傾動部ｂ１の頭部側に配され、かつ該第１の傾動部ｂ１に対し折り曲げ可能に連結された第２の傾動部ｂ２とを設けたベッドａが下記特許文献１により提案されている。なおユーザは通常、第１の傾動部ｂ１に上半身を、第２の傾動部ｂ２に頭部を各々載置して該ベッドａ使用する。
【０００３】
そしてこのベッドａでは、図のように、頭部のみが持ち上げられた姿勢を支持するため、第１の傾動部ｂ１は水平状態を保ちながら第２の傾動部ｂ２のみを起き上がる向きに傾けた初期傾動状態Ｆ１と、第２の傾動部ｂ２を第１の傾動部ｂ１に対して傾けたままの状態で第１の傾動部ｂ１を更に起きあがらせることにより、頭部とともに上半身を持ち上げた姿勢を支持する後期傾動状態Ｆ２とに変化することができる。
【０００４】
【特許文献１】特開２００３−２４１７９号公報
【発明の開示】
【発明が解決しようとする課題】
【０００５】
しかしながら、上述のような従来のベッドａでは、初期傾動状態Ｆ１においては、頭部を持ち上げることができるが、ある程度の高さを確保するためには、第２の傾動部ｂ２の折れ曲がり角度θは、２０度程度以上が必要となる。このとき、ユーザの頭部は、首を支点とし２０度以上前傾した姿勢で支持されるため、あごが引けた状態となって頸部が圧迫されやすい。特に枕を使用しているときにはこのような傾向が顕著となる。
【０００６】
また上半身を持ち上げた後期傾動状態Ｆ２においても、第１の傾動部ｂ１と第２の傾動部ｂ２との上記相対角度θが維持されたままであるため、同様に頸部が窮屈となりやすい。このように、従来のベッドでは、リクライニングの形態に関してさらなる改善の余地がある。
【０００７】
本発明は、以上のような問題点に鑑み案出なされたもので、頭支持枠部を背支持枠部と一直線となる伸展状態と、該背支持枠部に対して持ち上げられかつ前端を上向きに傾動しうる頭部リクライニング状態に変化させることを基本として、より快適なリクライニングの形態を作り出しさらに使い心地を高めうるベッドを提供することを主たる目的としている。
【課題を解決するための手段】
【０００８】
前記目的を達成するために、請求項１記載の発明は、寝具を載置する寝具載置面を有する寝具受け枠と、該寝具受け枠を支持するベッド枠体とを具えたベッドであって、前記寝具受け枠は、就寝者の頭部が向く前側部分に、後端部が前記ベッド枠体に枢支され背中を受ける背支持枠部、及び背支持枠部と一直線となる伸展状態と、該背支持枠部に対して持ち上げられかつ前端を上向きに傾動しうる頭部リクライニング状態とに変化させる傾動部を介して、前記背支持枠部の前端部に取付けられる頭支持枠部を含むとともに、前記ベッド枠体に、先端部が前記頭支持枠部の下面と摺接しかつ回動とともに該頭支持枠部を持ち上げるアーム体と、該アーム体を回動する駆動器とを設けたことを特徴とする。
【０００９】
また請求項２記載の発明は、前記傾動部は、前記背支持枠部の前端部に設けられベッド長さ方向を含む垂直面内で傾動可能な案内部と、前記頭支持枠部の後端部に取り付けられ、前記案内部に対して昇降するスライド部とからなることを特徴とする請求項１記載のベッドである。
【００１０】
また請求項３記載の発明は、前記案内部はガイド孔を有しかつ前記スライド部は該ガイド孔で昇降するスライド軸からなるとともに、前記スライド軸は上方への最大スライド時に前記ガイド孔に抜け止め保持されることにより、前記背支持枠部が前記頭支持枠部により持ち上げられることを特徴とする請求項１又は２記載のベッドである。
【００１１】
また請求項４記載の発明は、前記頭支持枠部は、頭部リクライニング状態において、背支持枠部に対して２〜１０度の角度で傾くことを特徴とする請求項１〜３のいずれかに記載のベッドであり、また請求項５記載の発明は、前記ベッド枠体は、倒立Ｖ字状に折曲げ可能な一対のベッド枠半体からなることを特徴とする請求項１〜４のいずれかに記載のベッドである。
【発明の効果】
【００１２】
本発明のベッドは叙上の如く、頭支持枠部を寝具受け枠から持上げる際、該頭支持枠部が背支持枠部に対し持上げられかつ前端を上向きに傾動しうる頭部リクライニング状態に変化するため、頸部への圧迫を減じつつ頭部を持上げることが可能となる。これにより、テレビの視聴、読書など長時間使用しても肩コリなど疲労感を覚えることがなく、リラックスした快適なリクライニング状態を得ることができる。また頭支持枠部のみを持ち上げた初期傾動状態では、枕なしで枕を用いたと同じ快適な寝心地を得ることができる。
【００１３】
請求項２記載の発明のように、傾動部をベッド長さ方向を含む垂直面内で傾動可能な案内部と前記案内部に対して昇降するスライド部とで構成した場合、頭支持枠部の頭部リクライニング状態への変化をスムースに支持できる。
【００１４】
請求項３記載の発明のように、案内部のガイド孔に昇降するスライド軸が上方への最大スライド時に前記ガイド孔に抜け止め保持されることにより、アーム体により傾動する頭支持枠部により背支持枠部を確実に持ち上げることができる。
【００１５】
請求項４記載の発明のように、頭部リクライニング状態において、頭支持枠部が背支持枠部に対して２〜１０度の角度で傾くときには、就寝者の頸部への圧迫を確実に減じて、使い心地を一層高めることができ、また請求項５記載の発明のように、ベッド枠体が倒立Ｖ字状に折曲げ可能な一対のベッド枠半体からなる場合、折り畳みベッドに本発明を適用し、快適なリクライニング状態を得ることができる。
【発明を実施するための最良の形態】
【００１６】
以下、本発明の実施の一形態を、図示例とともに説明する。図１は本実施形態のベッド１の分解斜視図、図２はその平面図である。
【００１７】
本実施形態のベッド１は、倒立Ｖ字状に折り畳み可能なベッド枠体３と、該ベッド枠体３の上に配されかつ寝具を載置する寝具受け枠２とを具えるものが例示される。そして前記ベッド枠体３は、第１のベッド枠半体１３Ａと第２のベッド枠半体１３Ｂとを、倒立Ｖ字状に折り曲げ可能に連結して構成されている。
【００１８】
前記第１のベッド枠半体１３Ａは、枠材を例えば平面視で略コ字状ないし矩形状（本例ではコ字状）に折り曲げた主枠３１ａと、縦横にのびる補強材３１ｂ、３１ｃとを一体に固着して形成される。第１のベッド枠半体１３Ａは、実質的にベッド長さの略半分の長さ（例えば９００〜１０００mm）をもっている。そして本形態では、この第１のベッド枠半体１３Ａ側に就寝者の上半身を載置させる。また第１のベッド枠半体１３Ａは、就寝者の脚部が向く後側端部が、継ぎ材３３にピン等を用いて回動可能に枢着される。また第１のベッド枠半体１３Ａの前端部側には、第１の脚部材３４, ３４が、ベッドの幅方向の両側に設けられる。
【００１９】
前記第１の脚部材３４, ３４は、本例では逆Ｔ字状をなす脚フレーム３４ａと、その下部に取り付けられたキャスター車輪３４ｂとで構成される。脚フレーム３４ａは、第１のベッド枠半体１３Ａにピンにて回動可能に取り付けられる。また両側の第１の脚部材３４, ３４は、第１のベッド枠半体１３Ａの下方でベッドの幅方向にのびる連結杆３５によって一体に固着される。また本形態では、第１のベッド枠半体１３Ａの前端部に、化粧仕上げされかつ垂直に立ち上がる宮板３６が取り付けられたものを例示している。
【００２０】
前記第２のベッド枠半体１３Ｂは、第１のベッド枠半体１３Ａと同様に枠材を略コ字状に折り曲げた主枠３２ａと、補強材３２ｂとを一体に固着して形成される。第２のベッド枠半体１３Ｂも、ベッド長さの約半分の長さをもっている。該第２のベッド枠半体１３Ｂはその前端部が、前記継ぎ材３３にピンにて回動可能に枢着される。本実施形態では、第１、第２のベッド枠半体１３Ａ、１３Ｂは、ベッドの長さ方向で離間したそれぞれ別の軸で支承されるが、同じ軸で支承することでも良い。
【００２１】
第２のベッド枠半体１３Ｂの前記主枠３２ａには、ベッドの幅方向に突出した取付軸３７を介して、第２の脚部材３８が固着される。これにより、折り畳み時、第１、第２の脚部材３４、３８が干渉するのを防止できる。第２の脚部材３８は、第２のベッド枠半体１３Ｂから高さ方向に突出する部分によって手摺りを兼ねるとともに、下方にのびる端部には、接地する車輪３９が設けられる。これらにより、折り畳み時に、第１、第２のベッド枠半体１３Ａ、１３Ｂを円滑に移動させることができる。
【００２２】
ベッドの幅方向の両側に設けられた前記継ぎ材３３, ３３は、連結材４０の両端部に各々固着されることにより一体化し、しかもこの連結材４０には中間支脚部４１が固着される。中間支脚部４１は、水平状態で床面と接地する。これにより、第１、第２の脚部材３４、３８及び中間支脚部４１でベッド荷重を支持し、使用時の安定性を高める。
【００２３】
中間支脚部４１と第１のベッド枠半体１３Ａとの間、及び、中間支脚部４１と第２のベッド枠半体１３Ｂとの間に、例えば引張バネ４２を架け渡すことができる。前記のように、継ぎ材３３の前端に前記第１のベッド枠半体１３Ａを、かつ継ぎ材３３の後端に前記第２のベッド枠半体１３Ｂをそれぞれ枢支しているため、第１のベッド枠半体１３Ａと第２のベッド枠半体１３Ｂとを互いに垂直位置となるよう折り曲げることによりベッド１をコンパクトに収納することができる。そしてその際、引張バネ４２は、前記折り畳み時の操作力を軽減し、展開時の衝撃の緩和する。なお引張バネ４２は、その架設位置を変えることができ、また電動機などを使用して、自動によりベッド１の折り畳み、展開動作を行わせることが可能である。
【００２４】
また、前記継ぎ材３３は、ベッドの幅方向に突出した略リング状の持ち手４４を有し、該持ち手４４を把持することにより、ベッド１の折り畳み展開操作を容易かつ安全に行なうことができる。
【００２５】
前記寝具受け枠２は、前記ベッド枠体３のベッドの長さ方向に配置された、就寝者の上半身を受ける上半身支持枠部１４と、臀部を受ける臀支持枠部１５と、脚部を支持する脚支持枠部１６とからなる。前記寝具受け枠２の幅は、前記ベッド枠体３よりも広く、例えば８００〜１８００ｍｍ程度に形成される。
【００２６】
前記脚支持枠部１６は、パイプ材等を横長矩形状に結合した枠体１６Ａと、この枠体１６Ａが囲む空所に配された金網状の下張り材１６Ｂと、折り畳みベッド１Ａの縦方向にのびる補強材１６Ｃとからなり、前記第２のベッド枠半体１３Ｂに、ボルトなどを用いて固着される。
【００２７】
前記臀支持枠部１５は、パイプ材等を横長矩形状に結合した枠体１５Ａと、この枠体１５Ａが囲む空所に配された金網状の下張り材１５Ｂと、折り畳みベッド１Ａの縦方向にのびる補強材１５Ｃとからなり、ベッド枠体３の第１のベッド枠半体１３Ａの後側に、ボルトなどを用いて固着される。
【００２８】
前記上半身支持枠部１４は、前記臀支持枠部１５の前側に配され、本形態では、背中を受ける背支持枠部４と、頭部を受ける頭支持枠部６とからなる。
【００２９】
前記背支持枠部４は、パイプ材等を横長矩形状に結合した枠体４Ａと、この枠体４Ａ内が囲む空所に配され寝具を載置可能な下張り材４Ｂと、ベッド１Ａのベッド長さ方向にのびる補強材４Ｃとを含んで構成される。また図１に示すように、この背支持枠部４の後側端部は、前記臀支持枠部１５の前側端部に、連結金具４５とピンＰ１とを用いて起倒作動可能に連結されている。なお、背支持枠部４は、その他の部分は第１のベッド枠半体１３Ａに固着されていないため、下方の第１のベッド枠半体１３Ａの主枠３１ａによって支持される水平位置と、前記臀支持枠部１５に対して折れ曲がり、第１のベッド枠半体１３Ａから起き上がる位置とに変化しうる。本形態では、背支持枠部４は、その後側端部を前記臀支持枠部１５の前側端部に起倒可能に連結しているが、直接第１のベッド枠半体１３Ａに起倒可能に連結させてもよい。
【００３０】
前記頭支持枠部６は、パイプ材等を横長矩形状に結合した枠体６Ａと、この枠体６Ａ内が囲む空所に配され寝具を載置可能な下張り材６Ｂと、ベッド長さ方向にのびる補強材６Ｃとを含んで構成され、前記背支持枠部４の前側に小間隔を介して配置される。なお頭支持枠部６は、ユーザの頭部を載置するのに適した長さ（ベッド長さ方向に沿った長さ）が好ましく、特に限定はされないが、例えば２３０〜３５０ｍｍ程度に形成される。
【００３１】
また前記頭支持枠部６は、その後端部が傾動部５を介して、前記背支持枠部４の前端部と連結されている。そしてこの傾動部５は、本形態では、図３に示すように、背支持枠部４の前端部に設けられた案内部９と、頭支持枠部６の後端部に取り付けられたスライド部１０とを含み構成されている。
【００３２】
前記案内部９は、本形態では、筒体９Ａと首振り部９Ｂとを含み構成されたものを例示している。筒体９Ａは、断面円形のパイプ材からなり、上下にのびるガイド孔１１を有する。該首振り部９Ｂは、ベッド幅方向に離間した垂直片９Ｂ１、９Ｂ１を円弧片９Ｂ２で連結した平面視略Ｕ字状の金具からなる。そして前記筒体９Ａが前記円弧片９Ｂ２の内周面に例えば溶接により固着されている。
【００３３】
前記案内部９は、例えば背支持枠部４の枠体４Ａのうち、前端部でベッド幅方向にのびる外枠部４Ａ１に角パイプ状の取付金具４８を介して取付けられている。該取付金具４８は、前記外枠部４Ａ１の下面に取付板４３を介して溶接、ボルト等により一体に固着される。そしてこの取付金具４８の側片４８ａ、４８ａ間で前記首振り部９Ｂの垂直片９Ｂ１、９Ｂ１がベッド幅方向の水平軸４８ｂ（ボルト）により枢支され、これにより前記案内部９は、背支持枠部４の前端部でベッド長さ方向を含む垂直面内を傾動可能に設けられている。
【００３４】
前記スライド部１０は、本形態では、前記案内部９のガイド孔１１内に挿入されたスライド軸１２により構成され、その上端部が頭支持枠部６の枠体６Ａのうち後端部でベッド幅方向にのびる外枠部６Ａ１に溶接により一体に固着されることにより頭支持枠部６の後端部から垂下している。
【００３５】
また本形態のスライド軸１２は、円形断面の軸部１２ａとその下端部に設けられた大径の抜け止め部１２ｂとを有している。そして前記軸部１２ａは、前記筒体９Ａのガイド孔１１の内径よりも僅かに小さい外径を有し、そのためガイド孔１１内を円滑に昇降できる。しかしながら上方へのスライド時、前記抜け止め部１２ｂが筒体９Ａの下端面と当接することによりスライド軸１２の最大スライド量が規制され、かつスライド軸１２が案内部９から抜け出ることが防止される。
【００３６】
しかして図５（Ａ）に示すように、第１のベッド枠半体１３Ａ上で背支持枠部４と一直線状に並んで伸展状態Ｓをなす頭支持枠部６が、上向きに押し上げられると、傾動部５のスライド軸１２は、案内部９に対して上昇する。これにより、図３、図５（Ｂ）に示すように、頭支持枠部６は背支持枠部４に対して段差を有して持上げられ、かつ取付金具４８により枢支された案内部９が傾動することにより前端を上向きにして背支持枠部４に対して傾いた頭部リクライニング状態Ｒに変化する。
【００３７】
前記スライド軸１２の最大スライド量は、軸部１２ａの長さを変えて行うことができる。好ましくは、最大スライド量を３０〜１００ｍｍ、より好ましくは３０〜８０ｍｍとすることが望ましい。前記最大スライド量が３０ｍｍ未満では、頭部リクライニング状態Ｒで支持される就寝者の頭部の持上げ高さが不足するため使い勝手が悪く、１００ｍｍを越えると頭部リクライニング状態Ｒでの頭部の位置が高すぎるため、頸部が圧迫される。
【００３８】
また背支持枠部４に対して頭支持枠部６が傾動する角度θの大きさは、本実施形態では、首振り部９Ｂの垂直片９Ｂ１が、取付金具４８の上片４８ｃと接触することで規制される。前記角度θは、２〜１０度程度に設定されると、その勾配が緩やかなため、前記従来のように頭支持枠部６により頭部が持ち上げられることにより頸部が圧迫されることがなく、長時間の就寝姿勢においても肩こり、疲労を生じることがない点で望ましい。なお角度θの中には、このような首振り部９Ｂの傾動に加え、筒体９Ａとスライド軸１２とのガタによって生じる角度変位（筒体９Ａの軸中心とスライド軸１２の軸中心とのずれによって生じる角度変位）が含まれる。
【００３９】
また前記頭支持枠部６は、起倒手段４９により持ち上げられる。前記起倒手段４９は、本形態では、起倒主軸５０と、該起倒主軸５０からのびる一対のアーム体７と、同じく起倒主軸５０からのびる起倒レバー５１と、駆動器８とを含み構成されたものを例示している。
【００４０】
前記起倒主軸５０は、第１のベッド枠半体１３Ａの補強材３１ｂ, ３１ｂ間を横方向にのびる円パイプからなり、その両端が前記補強材３１ｂに設けた軸受け片４６、４６間に、回転可能に枢支されている。また前記起倒レバー５１は、その基部が前記起倒主軸５０に固着され、小間隔を有する一対の取付板５１ａを含み構成される。
【００４１】
前記駆動器８は、本形態では、電動機などを有する本体部４７ａと、該電動機の正転、逆転により本体部８ａから伸び縮み（出没）自在なロッド４７ｂとを具えるボールネジ機構を用いた直線電動運動器４７からなる。該直線電動運動器４７は、その本体部４７ａが第１のベッド枠半体１３Ａの補強材３１ｃにブラケットなどを介して枢着されるとともに、そのロッド４７ｂは、前記起倒レバー５１の取付板５１ａにピンＰ２により回転可能に取付けられ、垂直面内を傾動可能に支持されている。そして直線電動運動器４７は、そのロッド４７ｂを伸縮すると、前記起倒レバー５１が傾動するとともに前記起倒主軸５０が回転し、ひいては、前記アーム体７が垂直面内を回動する。
【００４２】
前記アーム体７は、本形態では、図３に示すように、断面矩形の扁平角筒状をなし、前記起倒主軸５０からのびた主部７ａと、該主部７ａの先端で湾曲部７ｂを介しベッドの前後方向を向く垂直面内で折れ曲った支持腕部７ｃとを含み構成されたものを例示している。また本形態のアーム体７は、その先端に前記頭支持枠部６の摺動受部５３に係合する摺動部５２を固着している。
【００４３】
本形態の摺動部５２は、図６、７に示すように、前記支持腕部７ｃの先端に溶接により固着された溝型状の摺動基部５２ａと、該摺動基部５２ａのフランジ部５２ｂ、５２ｂ間に摺動ピンＰ４により枢支されたロール５２ｃとを含み構成されたものを例示している。
【００４４】
前記摺動受部５３は、頭支持枠部６の補強材６Ｃ下面に固着された下向きの溝型状をなし、その両フランジ部５３ａ、５３ａにスリット状のガイド部５３ｂを具える。そして図６、７に示すように、前記アーム体７の摺動部５２が、摺動受部５３内に挿入され、かつ摺動部５２の摺動ピンＰ４の両端部が、摺動受部５３のガイド部５３ｂ内に移動可能に挿入され、しかもアーム体７が頭支持枠部６を押し上げるとき、摺動部５２のロール５２ｃが摺動受部５３のウェブ部５３ｃの内面に当接し、これにより前記摺動部５２と摺動受部５３が係合している。
【００４５】
また、図４に示すように、アーム体７は前記起倒主軸５０まわりに回動し、他方アーム体７で押し上げられる頭支持枠部６は、背支持枠部４の後端部の連結金具４５のまわりに回動するため、起き上がり角度の変化によりアーム体７の先端と、これに向き合う頭支持枠部６との相対位置が移動するが、摺動部５２のロール５２ｃが摺動受部５３のウェブ部５３ｃを支持しながら転動するため、前記起き上がりの角度を円滑に変化しうる。
【００４６】
次に叙上の如く構成された本形態のベッド１の動作を説明する。前記駆動器８のロッド８ｂの突出時、図４に実線で示すように、前記起倒レバー５１、アーム体７が図面上時計廻りに回動し、背支持枠部４及び頭支持枠部６は、第１のベッド枠半体１３Ａ上で水平に一直線状に並ぶ伸展状態Ｓが構成される。なおこのとき、図８に実線で示されるように、ベッド１は、臀支持枠部１５、脚支持枠部１６を含めて全ての寝具受け枠２が水平に支持され、枕を使用することを前提とした標準の就寝形態が得られる。
【００４７】
駆動器８のロッド８ｂの縮小に伴い、アーム体７が図面上反時計廻りに回動する。この回動するアーム体７の摺動部５２が摺動受部５３を押し上げると、前記スライド軸１２が案内部９のガイド孔１１内を上昇しながら頭支持枠部６が持上げられ、同時に案内部９が前記水平軸４８ｂ廻りに傾動して、頭支持枠部６が前側を上に傾いた頭部リクライニング状態Ｒが形成される。このような背支持枠部４は水平姿勢が維持され、かつ頭部リクライニング状態Ｒが形成されたとき、図８に一点鎖線で示すように、頭部のみが持ち上げられた姿勢を枕を使用しないで得られる初期傾動状態Ｆ１が形成される。
【００４８】
アーム体７が図面上反時計廻りに回動すると、図５（Ｂ）に示すように、スライド軸１２の抜け止め部１２ｂが筒体９Ａの下端面と当接する。そしてこの最大スライド量を越えてアーム体７が更に回動すると、該アーム体７押し上げられる頭支持枠部６が傾動部５を介して背支持枠部４を持上げる。このとき背支持枠部４と頭支持枠部６とは、傾動部５により前記頭部リクライニング状態Ｒを維持しながら、背支持枠部４後端部の連結金具４５のピンＰ１を中心として起き上がる。このときベッド１は、図８にニ点鎖線で示すように、頭部リクライニング状態Ｒを維持しながら上半身を持ち上げた後期傾動状態Ｆ２が形成される。そして上半身は任意の角度で支持されながら、頭部は背支持枠部に対して持上げられた頸部への負担が大きく軽減された状態（頭部リクライニング状態Ｒ）で支持されるため、テレビの視聴、読書など長時間この姿勢を維持しても疲れ、肩こりなどの症状を覚えることがなく、快適にくつろぐことのできるリクライニング状態を得ることができる。
【００４９】
なお後期傾動状態Ｆ２における背支持枠部４は、図４に示すように、電動機の回転によりロッド８ｂの長さを各種変化させて、任意の傾動角度に調整することが可能である。また、前記動作とは逆に、駆動器８のロッド８ｂを伸ばしてアーム体７を時計廻りに更に回動することにより、頭部リクライニング状態Ｒを維持しながら、背支持枠部４の傾きを減じ、最終前記伸展状態Ｓに戻すことができる。
【００５０】
なお前記傾動部５のスライド軸１２は、その下端部が回動するアーム体７に当接することにより、直接押し上げられるように構成することもできる。
【００５１】
本形態では、寝具受け枠２において、前記各部の下張り材４Ｂ、６Ｂ、１５Ｂ又は１６Ｂを含む平面が寝具載置面ｍをなす。この寝具載置面ｍの上にマットレス等を単に載置しても良いが、好ましくは、図８に部分的に示すように、それぞれの下張り材（この例では１６Ａ）の上にスポンジ、チップウレタンフォーム、その他のクッション材からなる寝具Ｂを固着し、さらに枠体１６Ａとともにこれらシーツ状の被覆カバーＣで被覆して寝具Ｂと一体に構成することが好ましい。
【００５２】
図９乃至１１は、他の実施形態を例示している。以下異なる内容のみを説明し、それ以外は図中に表れれた同等の構成に同じ符号を付すのみとし、説明を省略している。
【００５３】
アーム体７の先端に設けられた摺動部５２は、本形態では、脚部５２ｄと、該脚部５２ｄの先端に形成された摺動外板５２ｅと、該摺動外板５２ｅと間隔を隔てて平行に配されかつ摺動外板５２ｅに固着具５５を介して固着された摺動内板５２ｆとを含み構成されたものを例示している。そして前記脚部５２ｄは、アーム体７の先端に嵌合され、固着具５４（ボルトナット）により固着されている。
【００５４】
本形態の摺動受部５３は、フランジ部の先端が互いに内側に折曲った内鍔部５３ｄ付き溝型状をなし頭支持枠部６の補強材６Ｃ下面に溶接などで固着されている。そして前記摺動部５２の摺動内板５２ｆは、摺動受部５３の内部に移動可能に挿入され、これによりアーム体７は、その先端において頭支持枠部６を移動可能に支持している。このように、本形態では、内鍔部５３ｄを有し溝型をなした摺動受部５３の内部に摺動部５２の摺動内板５２ｆが挿入されるため、アーム体７の先端部で頭支持枠部６を安定して支持できる点で好ましい。なお、前記摺動外板５２ｅは、摺動内板５２ｆとの間で前記内鍔部５３ｄを移動可能に挟持することにより、前記支持を更に安定としている。
【００５５】
図１２、１３は、更に他の実施形態を例示している。本形態の傾動部５は、湾曲したリンク状のヒンジ具５６により形成されている。このヒンジ具５６は、その後端部が背支持枠部４の枠体４Ａのうち前端部でベッド幅方向にのびる外枠部４Ａ１に固着された取付金５９に枢支点Ｐ３において枢支され、かつ前端部は頭支持枠部６の枠体６Ａのうち後端部でベッド幅方向にのびる外枠部６Ａ１に固着された取付金具６０に枢支され、ベッドの幅方向に一対配置されている。これにより、背支持枠部４の前端部と、頭支持枠部６の後端部とは、ヒンジ具５６を介し、相対移動可能に連結される。
【００５６】
また前記ヒンジ具５６は、枢支点Ｐ３寄りに阻止凸部５７を突設している。そして、ヒンジ具５６が前記枢支点Ｐ３を中心に図面上反時計廻りに回動するとき、前記阻止凸部５７が背支持枠部４の外枠部４Ａ１に当接すると、それ以上の回動が阻止され、これにより前記相対移動範囲が制約される。
【００５７】
本形態のアーム体７は、縦長の楕円パイプを用いて形成され、その基部は起倒主軸５０に固着し、前記一対のヒンジ具５６、５６の内側でベッドの幅方向に一対配置されている。そしてこのアーム体７は、先端側で頭支持枠部６の下面に向って湾曲し、先端部に摺動部５２を具える。該摺動部５２は、図１２、１４に示すように、頭支持枠部６の下面でベッドの前後方向にのびる略角棒状をなし、本形態では、押し出し成形材を用いて形成され、かつ両側に曲面状に張り出した凸部５２ｇを有する。そしてこの摺動部５２は、アーム体７の先端部に設けられた溝形鋼状の受部５２ｈに嵌合固着される。
【００５８】
頭支持枠部６の補強材６Ｃ下面には、アーム体７の先端と向き合う断面コ字状の摺動受部５３が固着具６１で固着されている。この摺動受部５３は、内側面に曲面状に凹んだ凹部５３ｉを有し、本形態では、前記摺動部５２より長い押し出し成形材を用い形成されている。そして図１４に示すように、摺動受部５３内に挿入された摺動部５２の凸部５２ｇが、摺動受部５３の凹部５３ｉ内に挿入されて係合することにより、摺動部５２が摺動受部５３に対し移動可能に連結される。またアーム体７の上昇時、摺動部５２の上面で摺動受部５３を押し上げ、これにより頭支持枠部６が持上げられる。
【００５９】
また図１２に示すように、前記背支持枠部４の前端部には、一対のアーム体７と向合う位置にアームガイド６２が形成される。このアームガイド６２は、図１５、１６に示すように、本体部６２ａと、該本体部６２ａの上部で鍔状に拡がる取付片６２ｂとからなり、また本体部６２ａは、アーム体７に向き合う断面Ｕ字状の受溝部６２ｃを有する。そしてこのアームガイド６２は、ベッドの幅方向に一対配され、前記取付片６２ｂが背支持枠部４の外枠部４Ａ１に固着される。
【００６０】
しかして、前記起倒主軸５０の回転によりアーム体７が起き上がると、図１３に一点鎖線で示すように、該アーム体７の先端部の摺動部５２が頭支持枠部６の摺動受部５３を押し上げ、これにより前記ヒンジ具５６が枢支点Ｐ３を中心として図面上反時計廻りに回動するとともに頭支持枠部６が持上がり、その結果背支持枠部４との間で段差のある頭部リクライニング状態Ｒに変化し、このとき初期傾動状態Ｆ１が形成される。
【００６１】
また、起き上がったアーム体７は、図１３の一点鎖線、図１６に示すように、その中位の上部が、背支持枠部４に設けられたアームガイド６２の受溝部６２ｃ内に挿入される。そしてアーム体７が更に起き上がると、アームガイド６２を介して背支持枠部４を押し上げ、背支持枠部４の前端部がピンＰ１を中心として起き上がる。これにより前記頭部リクライニング状態Ｒを維持しながら頭支持枠部６と背支持枠部４とが起き上がり、後期傾動状態Ｆ２が形成される。このように本形態のアーム体７は、アームガイド６２を介して背支持枠部４を直接押し上げるため、背支持枠部４の傾動動作がスムースとなる点で好ましい。しかもアーム体７は、アームガイド６２の受溝部６２ｃ内に挿入され背支持枠部４を押し上げるため、背支持枠部４の支持が安定する点で好ましい。
【００６２】
本形態のアームガイド６２は、ポリエチレン、ポリプロピレン、ポリスチレンなどのプラスチックで形成される。アーム体７と背支持枠部４は双方の枢支軸位置が異なるため、傾きの変化に伴い、アームガイド６２に係合するアーム体７の位置にズレを生じる。しかしプラスチックで形成されたアームガイド６２は摩擦係数が小さいため、ガタつき、振動を生じることなく、背支持枠部４の傾動動作がスムースとなる点で好ましい。
【００６３】
なお前記実施形態のベッドは、折畳み式であるが、非折り畳み式のベッドとしても良い。また本発明は前記の実施形態に限定されることなく種々の形態で実施しうる。
【図面の簡単な説明】
【００６４】
【図１】本発明のベッド１の分解斜視図である。
【図２】その平面図である。
【図３】傾動部、アーム体を例示する部分斜視図である。
【図４】寝具受け枠の動作状態を示す側面略図である。
【図５】（Ａ）（Ｂ）は傾動部の異なる動作状態を示す断面図である。
【図６】アーム体先端部と頭支持枠部の係合状態を示す部分側面図である。
【図７】その正面図である。
【図８】本発明のベッド１の使用状態を示す側面図である。
【図９】本発明の他の実施形態を例示し、寝具受け枠の動作状態を示す側面略図である。
【図１０】アーム体先端部と頭支持枠部の係合状態を示す部分側面図である。
【図１１】その正面図である。
【図１２】本発明の更に他の実施形態を例示し、寝具受け枠と、アーム体を示す斜視図である。
【図１３】その動作状態を示す側面略図である。
【図１４】その要部断面図である。
【図１５】背支持枠部をアーム体が支持する状態を示す正面図である。
【図１６】その側面図である。
【図１７】従来のベッドの側面図である。
【符号の説明】
【００６５】
１      ベッド
２      寝具受け枠
３      ベッド枠体
４      背支持枠部
５      傾動部
６      頭支持枠部
７      アーム体
８      駆動器
９      案内部
１０      スライド部
１１      ガイド孔
１２      スライド軸
１３      ベッド枠半体
ｍ        寝具載置面
Ｒ１      頭部リクライニング状態
Ｒ２      上半身リクライニング状態
Ｓ        伸展状態
【図１】
2005152233.tif 000003
【図２】
2005152233.tif 000004
【図３】
2005152233.tif 000005
【図４】
2005152233.tif 000006
【図５】
2005152233.tif 000007
【図６】
2005152233.tif 000008
【図７】
2005152233.tif 000009
【図８】
2005152233.tif 000010
【図９】
2005152233.tif 000011
【図１０】
2005152233.tif 000012
【図１１】
2005152233.tif 000013
【図１２】
2005152233.tif 000014
【図１３】
2005152233.tif 000015
【図１４】
2005152233.tif 000016
【図１５】
2005152233.tif 000017
【図１６】
2005152233.tif 000018
【図１７】
2005152233.tif 000019